(57)【要約】【課題】料理を作った者のメッセージを該料理を味わう者に伝えたり、弁当を作った母親から弁当を味わう子供に対して応援や激励等のメッセージを伝えたり、コミュニケーションの可能なメッセージピックを提供する。【解決手段】  頭部１と差込部２とからなり食物に差し込むピックにおいて、前記頭部１と前記差込部２との間に、メッセージ表示部３を設けたことを特徴とするメッセージピックである。【選択図】図１
0003114471.tif 000002
【実用新案登録請求の範囲】
【請求項１】
頭部と差込部とからなり食物に差し込むピックにおいて、前記頭部と前記差込部との間に、メッセージ表示部を設けたことを特徴とするメッセージピック。
【請求項２】
メッセージ表示部に、メッセージシールを貼付することを特徴とする請求項１記載のメッセージピック。
【請求項３】
メッセージシールが書き込み可能であることを特徴とする請求項１又は２記載のメッセージピック。
【請求項４】
メッセージシールが予めメッセージが印刷されていることを特徴とする請求項１又は２記載のメッセージピック。
【請求項５】
メッセージ表示部に透明の保護フィルムを貼付することを特徴とする請求項１〜４のいずれか１項に記載のメッセージピック。
【請求項６】
頭部が動物を擬態化したものであることを特徴とする請求項１〜５のいずれか１項に記載のメッセージピック。
【考案の詳細な説明】
【技術分野】
【０００１】
本考案はおかずや果物等の食物に差し込むためのピックに関し、更に詳しくは、例えば、料理を作った者のメッセージを該料理を味わう者に伝えたり、弁当を作った母親から弁当を味わう子供に対して応援や激励等のメッセージを伝えたり、コミュニケーションの可能なメッセージピックに関する。
【背景技術】
【０００２】
従来、この種のピックとしては、頭部と先端が尖った差込部とからなるプラスチック製のものが広く用いられている。最近では、頭部として、イヌ、ネコ、ゾウ等の動物を擬態化したものも実用化されている。
【考案の開示】
【考案が解決しようとする課題】
【０００３】
しかしながら、従来のピックでは、当然ながら、食物を突き刺すという機能面に重点が置かれており、また、動物を擬態化したピックにあっては、この機能面の他に、動物の可愛らしさや面白さにより心を和ませたり、食欲を増進させる等の一定の効果も認められるものの、料理を作った者の心情や愛情は、料理を味わう者に対しては殆ど伝わってこないのが実情である。
【０００４】
この場合、料理を作った者の心情や愛情が料理を味わう者に伝えられるならば、料理の味は一層奥深い、味わいの深いものとなり、作った者の心情や愛情をかみしめながら味わうことができ、また、例えば、母親の作った弁当を子供が味わうような場合には、母親の愛情を一身に感じながら、感謝の念を抱きながら食することができ、親子間のコミュニケーションの場としての役割をも果たすことが期待される。
【０００５】
本考案はかかる実情に鑑み、料理の作り手側のメッセージを味わい手側に伝えることにより、料理を一層味わい深いものとし、また、親子間のコミュニケーションの場としての役割も果たすことのできるメッセージピックを提供することを目的とする。
【課題を解決するための手段】
【０００６】
上記課題を解決するための本考案の請求項１は、頭部と差込部とからなり食物に差し込むピックにおいて、前記頭部と前記差込部との間に、メッセージ表示部を設けたことを特徴とするメッセージピックを内容とする。
【０００７】
本考案の請求項２は、メッセージ表示部に、メッセージシールを貼付することを特徴とする請求項１記載のメッセージピックを内容とする。
【０００８】
本考案の請求項３は、メッセージシールが書き込み可能であることを特徴とする請求項１又は２記載のメッセージピックを内容とする。
【０００９】
本考案の請求項４は、メッセージシールが予めメッセージが印刷されていることを特徴とする請求項１又は２記載のメッセージピックを内容とする。
【００１０】
本考案の請求項５は、メッセージ表示部に透明の保護フィルムを貼付することを特徴とする請求項１〜４のいずれか１項に記載のメッセージピックを内容とする。
【００１１】
本考案の請求項６は、頭部が動物を擬態化したものであることを特徴とする請求項１〜５のいずれか１項に記載のメッセージピックを内容とする。
【考案の効果】
【００１２】
本考案のメッセージピックは、頭部と差込部との間にメッセージ表示部を設けたので、料理を作った者が該料理を味わう者に対して該メッセージ表示部に各種のメッセージを添えることができる。
【００１３】
その結果、料理を味わう者は、料理を作った者の心情や愛情を感じながら、一層味わい深く食することができ、例えば、母親が子供に対して作った弁当の場合は、子供は母親の愛情を一身に感じながら食することができ、親子間の心の通いあうコミュニケーションの場としての役割を果たすものである。
【００１４】
メッセージを手書き等で書き込みできるメッセージシールを予め準備しておき、これにメッセージを書き込んでメッセージ表示部に貼付するようにすれば便利であり、更に、メッセージシールに予め種々のメッセージを印刷しておけば、料理を作る忙しい時間に、どのようなメッセージを記載するか思案する必要がないので好都合である。
【００１５】
メッセージ表示部に所定のメッセージを書き込んだ後、又は、所定のメッセージを記載又は印刷したメッセージシールを貼付した後、その表面に透明の保護フィルムを貼付すれば、インクが食物に移ったり、メッセージが滲んで読み難くなったりする等のトラブルを防止することができるので好適である。手書きしたメッセージシールの場合は、色移り防止やインクの安全性の観点から、特に有効である。
【００１６】
頭部を、動物を擬態化したものとすることにより、その可愛らしさにより、心が和み、リラックスして消化を促進するとともに、食欲が増進する。
【考案を実施するための最良の形態】
【００１７】
本考案のメッセージピックは、頭部と差込部とからなり食物に差し込むピックにおいて、前記頭部と前記差込部との間に、メッセージ表示部を設けたことを特徴とする。
【００１８】
本考案のメッセージピックは、プラスチック、金属、木、竹、等安全な素材であれば特に制限されないが、造形性（成形性）、着色性、コスト等の面からプラスチックが好ましい。
【００１９】
本考案に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。
【００２０】
頭部は、ピックの差込部を食物に突き刺す際又は抜き出す際に指で摘む把持部の役割を果たすもので、余り小さいと摘み難くなるので、概ね親指と人差し指との間に収まる程度の大きさが好ましい。
【００２１】
差込部は文字通り、ピックを食物に差し込む（突き刺す）ためのもので、従って、適度な剛性を有し、長さは余り大きいと、弁当箱や折り箱内等に収納し難くなるので概ね２０〜３０ｍｍ程度のものが好ましい。尚、差込部の先端部は余り尖らせると危険なので、食物を突き刺せる程度とするのが良い。
【００２２】
本考案において、メッセージ表示部は、頭部と差込部との間に設けられる。メッセージ表示部はメッセージが表示できればよく、そのサイズは、上記頭部と差込部とのバランスを考慮して適宜決定すればよいが、例えば、矩形の場合で、１５〜２０ｍｍ×３０〜４０ｍｍ程度のものが好ましい。メッセージ表示部は、例えば、楕円形、円形、多角形等のものもよく、その形状は特に制限されない。
【００２３】
メッセージ表示部は、直接ペン等を用いて手書き等により書き込んでもよいが、メッセージシールを貼付することもできる。メッセージシールは、例えば、紙基材の裏面に感圧粘着剤層、剥離紙の順序で積層され、剥離紙を剥がして感圧粘着剤層を露出させ、メッセージ表示部に貼付するのが好ましい。メッセージシールの表面は、手書き等により書き込みができるようにブランクとして、その都度メッセージを書き込んでもよいし、また、種々のメッセージを予め筆記又は印刷しておき、その都度所望のメッセージシールを選択してメッセージ表示部ち貼付してもよい。
【００２４】
メッセージは特に制限されないが、例えば、「今日のおすすめ」、「おいしいヨ」、「たくさんたべてね！」、「のこさずたべてネ！」、「ママのじしんさく」、「いただきます！」、「ダイスキ！」、「ママのいちおし」等の他、「お仕事がんばってネ！」、「早く帰ってネ！」、「結婚記念日よ！」、「誕生日おめでとう！」等が挙げられる。これらのメッセージは、着色したり、動物、草花、果物等の挿画等で装飾することも可能である。
【００２５】
所定のメッセージを書き込んだ場合は、色移りや、インクの成分によっては安全性の問題もあるので、その表面に透明の保護フィルムを貼付するのが好ましい。また、所定のメッセージを記載又は印刷したメッセージシールの場合は、必要に応じ、保護フィルムを貼付すればよい。保護フィルムの素材は前記したプラスチックを使用できる。保護フィルムもメッセージシールと同様、フィルムの裏面に感圧粘着剤層、剥離紙の順序で積層され、剥離紙を剥がして感圧粘着剤層を露出させ、メッセージシールの表面に貼付するのが好ましい。
【００２６】
頭部は、イヌ、ネコ、クマ、ウサギ、ゾウ、キリン、サル、トリ等の動物、アニメ等に登場するキャラクター、花等を擬態化することができる。
【実施例】
【００２７】
以下、本考案を実施例に基づいて更に詳細に説明するが、本考案はこれらにより何ら制限されないことは云うまでもない。
【００２８】
実施例１
本実施例のメッセージピックは、図１に示すように、頭部１と差込部２との間に、メッセージ表示部３が設けられている。
【００２９】
実施例２
本実施例のメッセージピックは、図２に示すように、頭部１がイヌを擬態化したものからなる他は、実施例１と同様である。
【００３０】
実施例３
本実施例のメッセージピックは、図３に示すように、実施例２（図２）のメッセージピックにおいて、該メッセージ表示部３にメッセージ４（本例では「たくさんたべてね！」）を手書きし、その表面に図４に示した、保護フィルムシール６を多数貼着した保護フィルムシート５から、保護フィルムシール６を剥がし取り、貼付した例を示す。
尚、保護フィルムシール６は、フィルムの裏面に感圧粘着剤層、剥離紙の順序で積層されたもので、該剥離紙を剥がし取り貼付した。
【００３１】
実施例４
本実施例のメッセージピックは、図５に示すように、メッセージ表示部３に、図６に示した、書き込み用のブランクと挿画や縁取りとからなる書き込み用メッセージシール８を多数貼着した書き込み用メッセージシート７から所望の書き込み用メッセージシール８を剥がし取って貼付し、ブランク内にメッセージ４（本例では「今日のおすすめ」）をマジックインクで書き込んだ後、その表面に、上記図４に示した保護フィルムシート５から保護フィルムシール６を剥がし取り、貼付した例を示す。
尚、書き込み用メッセージシール８は、紙基材の裏面に感圧粘着剤層、剥離紙の順序で積層されたもので、該剥離紙を剥がし取り貼付した。
【００３２】
実施例５
本実施例のメッセージピックは、図７に示すように、頭部１がウサギを擬態化したものからなり、メッセージ表示部３に、図８に示した、予めメッセージを印刷したメッセージシール１０を多数貼着したメッセージシート９から、所望のメッセージシール１０ａ（本例では、メッセージ４は「ママのじしんさく」）を剥がし取り、貼付した例を示す。
尚、予めメッセージを印刷したメッセージシール１０は、予めメッセージを印刷した紙基材の裏面に感圧粘着剤層、剥離紙の順序で積層されたもので、該剥離紙を剥がし取り貼付した。
【００３３】
実施例６
本実施例のメッセージピックは、図９に示すように、頭部１がネコを擬態化したものからなり、メッセージ表示部３に、上記図８に示した、予めメッセージを印刷したメッセージシート９から所望のメッセージシール１０ｂ（本例では、メッセージ４は「いただきます！」）を剥がし取り、貼付した例を示す。
【００３４】
実施例７
本実施例のメッセージピックは、図１０に示すように、頭部１がクマを擬態化したものからなり、メッセージ表示部３に、図８に示した、予めメッセージを印刷したメッセージシート９から所望のメッセージシール１０ｃ（本例では、メッセージ４は「おいしいヨ」）を剥がし取って貼付した後、その表面に、上記図４に示した保護フィルムシート５から保護フィルムシール６を剥がし取って貼付した例を示す。
【産業上の利用可能性】
【００３５】
叙上のとおり、本考案のメッセージピックは、頭部と差込部との間にメッセージ表示部を設けたので、料理を作った者が該料理を味わう者に対して該メッセージ表示部に各種のメッセージを添えることができ、その結果、料理を味わう者は、料理を作った者の心情や愛情を感じながら、一層味わい深く食することができる。
例えば、母親が子供に対して作った弁当の場合は、子供は母親の愛情を一身に感じながら食することができ、また、妻が夫に対して作った弁当の場合は、夫は妻の愛情を一身に感じながら食することができ、ともすれば不足がちになる親子間、夫婦間のコミュニケーションの場としての役割を果たすもので、頗る有用性の高いものである。
【図面の簡単な説明】
【００３６】
【図１】本考案の実施例を示す概略図である。
【図２】本考案の他の実施例を示す概略図である。
【図３】本考案の更に他の実施例を示す概略図である。
【図４】保護フィルムシールを貼着した保護フィルムシートを示す概略図である。
【図５】本考案の他の実施例を示す概略図である。
【図６】書き込み用メッセージシールを貼着した書き込み用メッセージシートを示す概略図である。
【図７】本考案の更に別の実施例を示す概略図である。
【図８】メッセージシールを貼着したメッセージシートを示す概略図である。
【図９】本考案の更に別の実施例を示す概略図である。
【図１０】本考案の更に別の実施例を示す概略図である。
【符号の説明】
【００３７】
１  頭部
２  差込部
３  メッセージ表示部
４  メッセージ
５  保護フィルムシート
６  保護フィルムシール
７  書き込み用メッセージシート
８  書き込み用メッセージシール
９  メッセージシート
１０、１０ａ、１０ｂ、１０ｃ  メッセージシール
【図１】
0003114471.tif 000003
【図２】
0003114471.tif 000004
【図３】
0003114471.tif 000005
【図４】
0003114471.tif 000006
【図５】
0003114471.tif 000007
【図６】
0003114471.tif 000008
【図７】
0003114471.tif 000009
【図８】
0003114471.tif 000010
【図９】
0003114471.tif 000011
【図１０】
0003114471.tif 000012